(57)【特許請求の範囲】
【請求項１】
細長い矩形の床パネルの何れかの外縁部に壁パネルを直立させた複数の建物ユニットの組合せからなり、前記複数個の床パネルの前記壁パネルが設けられていない外縁部同士を接合して、建物の床を形成すると共に、前記複数個の壁パネル同士を接合して居室の壁を形成し、前記壁パネルをそれぞれ有する複数の建物ユニットの上に屋根パネルを取り付けて居室を形成するユニット建物において、
前記複数の床パネルは、居室の床となる居室床部とバルコニーの床となるバルコニー床部とが予め設定されてなるものであり、前記複数の床パネルの中間部には、前記床を居室床部とバルコニー床部とに区画するように直立して固定される仕切用の壁パネルが取り付けられ、該仕切用の壁パネルには、前記複数の建物ユニットの床パネルを跨いで開口する出入用の開口部が形成されていることを特徴とするユニット建物。
【請求項２】
細長い矩形の床パネルの何れかの外縁部に壁パネルを直立させた複数の建物ユニットを組み合わせてユニット建物を形成する請求項１記載のユニット建物の施工方法であって、前記複数個の床パネルの前記壁パネルが設けられていない外縁部同士を接合して、建物の床を形成すると共に、前記複数個の壁パネル同士を接合して居室の壁を形成し、
前記複数の床パネルは、居室の床となる居室床部とバルコニーの床となるバルコニー床部とが予め設定されてなるものであり、前記複数の床パネルの中間部に、前記床を居室床部とバルコニー床部とに区画するように直立して固定される仕切用の壁パネルを取り付け、該仕切用の壁パネルには、前記複数の建物ユニットの床パネルを跨いで開口する出入用の開口部が形成されていることを特徴とするユニット建物の施工方法。
【発明の詳細な説明】
【０００１】
【発明の属する技術分野】
本発明はユニット建物及びその施工方法に関する。
【０００２】
【従来の技術】
従来、バルコニー付ユニット建物として、特開平6-173352号公報に記載の如く、建物ユニットの床パネルの中間部に壁パネルを立て、この壁パネルによって区画される居室床部とバルコニー床部とを有してなるものがある。
【０００３】
【発明が解決しようとする課題】
しかしながら、従来技術では、ユニット建物のバルコニー床部を区画する壁パネルが建物ユニット単位で分割されており、バルコニー床部への出入口として複数の建物ユニットにまたがる大開口をその外壁に形成できない。
【０００４】
本発明の課題は、複数の建物ユニットにまたがるバルコニー床部を構成するに際し、バルコニー床部への出入口として複数の建物ユニットにまたがる大開口をその外壁に形成することにある。
【０００５】
【課題を解決するための手段】
上記課題を解決するために、本願のユニット建物は、細長い矩形の床パネルの何れかの外縁部に壁パネルを直立させた複数の建物ユニットの組合せからなり、前記複数個の床パネルの前記壁パネルが設けられていない外縁部同士を接合して、建物の床を形成すると共に、前記複数個の壁パネル同士を接合して居室の壁を形成し、前記壁パネルをそれぞれ有する複数の建物ユニットの上に屋根パネルを取り付けて居室を形成するユニット建物において、
前記複数の床パネルは、居室の床となる居室床部とバルコニーの床となるバルコニー床部とが予め設定されてなるものであり、前記複数の床パネルの中間部には、前記床を居室床部とバルコニー床部とに区画するように直立して固定される仕切用の壁パネルが取り付けられ、該仕切用の壁パネルには、前記複数の建物ユニットの床パネルを跨いで開口する出入用の開口部が形成されていることを特徴とする。
【０００６】
また、請求項２の発明は、細長い矩形の床パネルの何れかの外縁部に壁パネルを直立させた複数の建物ユニットを組み合わせてユニット建物を形成する請求項１記載のユニット建物の施工方法であって、前記複数個の床パネルの前記壁パネルが設けられていない外縁部同士を接合して、建物の床を形成すると共に、前記複数個の壁パネル同士を接合して居室の壁を形成し、
前記複数の床パネルは、居室の床となる居室床部とバルコニーの床となるバルコニー床部とが予め設定されてなるものであり、前記複数の床パネルの中間部に、前記床を居室床部とバルコニー床部とに区画するように直立して固定される仕切用の壁パネルを取り付け、該仕切用の壁パネルには、前記複数の建物ユニットの床パネルを跨いで開口する出入用の開口部が形成されていることを特徴とする。
【０００７】
【作用】
請求項１、２の発明によれば下記（i）、（ii）の作用がある。
（i）複数の建物ユニットにまたがる壁パネルにより、複数の建物ユニットにまたがるバルコニー床部を区画できる。
【０００８】
（ii）壁パネルは、複数の建物ユニットにまたがるものであり、複数の建物ユニットにまたがる大開口を、バルコニー床部への出入口として形成できる。
【０００９】
【発明の実施の形態】
図１は第１実施形態のユニット建物を示す斜視図、図２は図１の分解斜視図、図３は第２実施形態のユニット建物を示す斜視図、図４は図３の分解斜視図である。
【００１０】
（第１実施形態）（図１、図２）
ユニット建物１０は、複数の下階建物ユニット１１〜１３、複数の上階建物ユニット２１〜２３、壁パネル３１、屋根ユニット４１〜４３を少なくとも一部に有する接合体であり、バルコニー５１を備える。
【００１１】
下階建物ユニット１１は、床パネル１１Ａの相対する２つの外縁部に壁パネル１１Ｂ、１１Ｃを二の字状に接合したものである。下階建物ユニット１２は、床パネル１２Ａの３つの外縁部に壁パネル１２Ｂ、１２Ｃ、１２Ｄをコの字状に接合したものである。下階建物ユニット１３は、床パネル１３Ａの３つの外縁部に壁パネル１３Ｂ、１３Ｃ、１３Ｄをコの字状に接合したものである。
【００１２】
上階建物ユニット２１は、床パネル２１Ａの相対する２つの外縁部に壁パネル２１Ｂ、２１Ｃを二の字状に接合したものであり、壁パネル２１Ｂの全部を低壁とし、これをバルコニー５１の手すり壁とするものである。
【００１３】
上階建物ユニット２２は、床パネル２２Ａの３つの外縁部に壁パネル２２Ｂ、２２Ｃ、２２Ｄをコの字状に接合したものであり、壁パネル２２Ｂの全部と、壁パネル２２Ｃの壁パネル２２Ｂに連なる一部を低壁とし、これらをバルコニー５１の手すり壁とするものである。上階建物ユニット２３は、床パネル２３Ａの３つの外縁部に壁パネル２３Ｂ、２３Ｃ、２３Ｄをコの字状に接合したものであり、壁パネル２３Ｂの全部と、壁パネル２３Ｃの壁パネル２３Ｂに連なる一部を低壁とし、これらをバルコニー５１の手すり壁とするものである。
【００１４】
壁パネル３１は、複数の上階建物ユニット２１〜２３の床パネル２１Ａ〜２３Ａの中間部Ｐに立てられ、居室床部１０Ａとバルコニー床部５１Ａとを区画する。壁パネル３１は、バルコニー床部５１Ａへの出入口としての大開口（引き違い戸）３２を備える。
【００１５】
屋根ユニット４１は、相対する壁パネル４１Ａ、４１Ｂと両流れ屋根パネル４１Ｃ、４１Ｄからなる。屋根ユニット４２は、屋根ユニット４１の一方側に接続され、相対する壁パネル４２Ａ、４２Ｂと片流れ屋根パネル４２Ｃからなる。屋根ユニット４３は、屋根ユニット４１の他方側に接続され、相対する壁パネル４３Ａ、４３Ｂと片流れ屋根パネル４３Ｃからなる。
【００１６】
従って、ユニット建物１０は、以下の如くに構築される。
(1)工場生産された下階建物ユニット１１〜１３、上階建物ユニット２１〜２３、壁パネル３１、屋根ユニット４１〜４３を建築現場へと輸送する。
【００１７】
(2)下階建物ユニット１１〜１３を基礎の上に据付け、上階建物ユニット２１〜２３を下階建物ユニット１１〜１３の上に搭載する。このとき、上階建物ユニット２１〜２３の壁パネルが設けられていない外縁部を互いに突合せるように、それらの上階建物ユニット２１〜２３を並置する。
【００１８】
(3)上階建物ユニット２１〜２３にまたがる壁パネル３１を、それらの上階建物ユニット２１〜２３の床パネル２１Ａ〜２３Ａの中間部Ｐに立て、この壁パネル３１によって居室床部１０Ａとバルコニー床部５１Ａとを区画する。
【００１９】
(4)屋根ユニット４１〜４３を、上階建物ユニット２１〜２３、壁パネル３１の上に搭載する。
【００２０】
本実施形態によれば、以下の作用がある。
（i）複数の建物ユニット２１〜２３にまたがる壁パネル３１により、複数の建物ユニット２１〜２３にまたがるバルコニー床部５１Ａを区画できる。
【００２１】
（ii）壁パネル３１は、複数の建物ユニット２１〜２３にまたがるものであり、複数の建物ユニット２１〜２３にまたがる大開口３２を、バルコニー床部５１Ａへの出入口として形成できる。
【００２２】
（第２実施形態）（図３、図４）
ユニット建物６０は、複数の下階建物ユニット６１〜６３、複数の上階建物ユニット７１〜７３、壁パネル８１、屋根パネル９１、９２を少なくとも一部に有する接合体であり、バルコニー１０１を備える。
【００２３】
下階建物ユニット６１は、床パネル６１Ａの相対する２つの外縁部に壁パネル６１Ｂ、６１Ｃを二の字状に接合したものである。下階建物ユニット６２は、床パネル６２Ａの３つの外縁部に壁パネル６２Ｂ、６２Ｃ、６２Ｄをコの字状に接合したものである。下階建物ユニット６３は、床パネル６３Ａの３つの外縁部に壁パネル６３Ｂ、６３Ｃ、６３Ｄをコの字状に接合したものである。
【００２４】
上階建物ユニット７１は、床パネル７１Ａの相対する２つの外縁部に壁パネル７１Ｂ、７１Ｃを二の字状に接合したものであり、壁パネル７１Ｂの全部を低壁とし、これをバルコニー１０１の手すり壁とするものである。
【００２５】
上階建物ユニット７２は、床パネル７２Ａの３つの外縁部に壁パネル７２Ｂ、７２Ｃ、７２Ｄをコの字状に接合したものであり、壁パネル７２Ｂの全部と、壁パネル７２Ｃの全部を低壁とし、これらをバルコニー１０１の手すり壁とするものである。上階建物ユニット７３は、床パネル７３Ａの３つの外縁部に壁パネル７３Ｂ、７３Ｃ、７３Ｄをコの字状に接合したものであり、壁パネル７３Ｂの全部と、壁パネル７３Ｃの全部を低壁とし、これらをバルコニー１０１の手すり壁とするものである。
【００２６】
壁パネル８１は、複数の上階建物ユニット７１〜７３の床パネル７１Ａ〜７３Ａの中間部Ｐに立てられ、居室床部６０Ａとバルコニー床部１０１Ａとを区画する。壁パネル８１は、サッシパネルであり、バルコニー床部１０１Ａへの出入口としての大開口（開き戸）８２を備える。
【００２７】
従って、ユニット建物６０は、以下の如くに構築される。
(1)工場生産された下階建物ユニット６１〜６３、上階建物ユニット７１〜７３、壁パネル８１、屋根パネル９１、９２を建築現場へと輸送する。
【００２８】
(2)下階建物ユニット６１〜６３を基礎の上に据付け、上階建物ユニット７１〜７３を下階建物ユニット６１〜６３の上に搭載する。このとき、上階建物ユニット７１〜７３の壁パネルが設けられていない外縁部を互いに突合せるように、それらの上階建物ユニット７１〜７３を並置する。
【００２９】
(3)上階建物ユニット７１〜７３にまたがる壁パネル８１を、それらの上階建物ユニット７１〜７３の床パネル７１Ａ〜７３Ａの中間部Ｐに立て、この壁パネル８１によって居室床部６０Ａとバルコニー床部１０１Ａとを区画する。
【００３０】
(4)屋根パネル９１、９２を、上階建物ユニット７１〜７３、壁パネル８１の上に搭載する。
【００３１】
本実施形態によれば以下の作用がある。
（i）複数の建物ユニット７１〜７３にまたがる壁パネル８１により、複数の建物ユニット７１〜７３にまたがるバルコニー床部１０１Ａを区画できる。
【００３２】
（ii）壁パネル８１は、複数の建物ユニット７１〜７３にまたがるものであり、複数の建物ユニット７１〜７３にまたがる大開口８２を、バルコニー床部１０１Ａへの出入口として形成できる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３４】
【発明の効果】
以上のように本発明によれば、複数の建物ユニットにまたがるバルコニー床部を構成するに際し、バルコニー床部への出入口として複数の建物ユニットにまたがる大開口をその外壁に形成することができる。
【図面の簡単な説明】
【図１】図１は第１実施形態のユニット建物を示す斜視図である。
【図２】図２は図１の分解斜視図である。
【図３】図３は第２実施形態のユニット建物を示す斜視図である。
【図４】図４は図３の分解斜視図である。
【符号の説明】
１０、６０  ユニット建物
１０Ａ、６０Ａ  居室床部
２１〜２３、７１〜７３  建物ユニット
２１Ａ〜２３Ａ、７１Ａ〜７３Ａ  床パネル
２１Ｂ、２１Ｃ、２２Ｂ〜２２Ｄ、２３Ｂ〜２３Ｄ、
７１Ｂ、７１Ｃ、７２Ｂ〜７２Ｄ、７３Ｂ〜７３Ｄ  壁パネル
３１、８１  壁パネル
３２、８２  大開口
５１、１０１  バルコニー
５１Ａ、１０１Ａ  バルコニー床部
【図１】
0003745925.tif 000002
【図２】
0003745925.tif 000003
【図３】
0003745925.tif 000004
【図４】
0003745925.tif 000005